(57)【要約】【課題】内面パネルを工具を使用せずに簡単に取り付け、取り外しできると共に、内面パネルの意匠性の低下や表面清掃性の低下を招くことがないフードを有したレンジフードとする。【解決手段】フード本体２の内面に取り付けた固定金具６ａを、内面パネル３の外装部品取付用の開口３０から手を入れて内面パネル３の裏面側に設けた金具受け部６ｂに係合した固定位置と、離れた固定解除位置とに移動できるようにし、内面パネル３を工具を使用せずに簡単に取り付け、取り外しできると共に、固定金具６ａ、金具受け部６ｂが内面パネル３の表面に露出せずに意匠性の低下や内面パネル表面の清掃性の低下を招くことがないフードとする。【選択図】図４
2014202439.tif 000002
【特許請求の範囲】
【請求項１】
フード本体と、このフード本体の内面を覆う内面パネルを有したフードを備えたレンジフードであって、
前記フード本体の内面に取り付けた固定金具と、前記内面パネルの裏面側に設けた金具受け部とで、内面パネルをフード本体に固定及び固定解除する固定装置とし、
前記固定金具は、内面パネルの外装部品取付用の開口からの手動操作により金具受け部とで内面パネルを支持する固定位置と、金具受け部とでの内面パネルの支持を解放する固定解除位置とに渡って移動可能としたことを特徴とするレンジフード。
【請求項２】
前記内面パネルの開口に外装部品を、当該内面パネルの表面側から着脱自在に取り付けできるようにし、
前記内面パネルに取り付けた外装部品は、固定金具の固定解除位置への移動を阻止するようにした請求項１記載のレンジフード。
【請求項３】
前記固定金具が固定位置以外の位置にある場合には、前記固定金具は外装部品の開口への取り付けを阻止するようにした請求項１又は２記載のレンジフード。
【請求項４】
前記固定金具は、内面パネルの金具受け部に係脱する係止部及び、ストッパー部を有し、
前記固定金具が固定位置のときには係止部が金具受け部に係合し、かつストッパー部が外装部品と干渉しないようにし、
前記固定金具が固定解除位置に向けて移動するとストッパー部が外装部品に接触して固定解除位置への移動を阻止し、
外装部品を開口に取り付ける際に固定金具が固定位置以外の位置である場合には、固定金具のストッパー部に外装部品が干渉するようにした請求項３記載のレンジフード。
【請求項５】
前記固定金具は、移動方向と直角方向で、内面パネルの開口に向かう手掛けを有している請求項１〜４いずれか１項記載のレンジフード。
【発明の詳細な説明】
【技術分野】
【０００１】
本発明は、調理器の周囲に設けられ、調理により発生する油煙を捕獲するレンジフードに関する。
【背景技術】
【０００２】
レンジフードとしては、フードで油煙を捕獲するものが一般的であるが、油煙などで汚れたフードの内面の清掃が面倒であると共に、フードの内部に設けた送風機などが目視され意匠性が悪い。
そこで、フード本体と、フード本体の内面を覆う内面パネルとでフードとし、清掃性や意匠性を向上したレンジフードが提案されている（特許文献１参照）。
【先行技術文献】
【特許文献】
【０００３】
【特許文献１】特開２００１−４１８１号公報
【発明の概要】
【発明が解決しようとする課題】
【０００４】
前述したフード本体の内面を内面パネルで覆うようにしたフードを用いたレンジフードにおいては、内面パネルの裏面を清掃する際や、フード本体の内面と内面パネルの裏面との間の空間に送風機が設けられている場合には送風機の清掃やメンテナンスなどの際に、内面パネルを取り外す必要がある。
そこで、内面パネルを表面からねじによりフード本体に固定し、そのねじを外すことで内面パネルを取り外しできるようにしている。
しかしながら、このような内面パネルの固定構造では、取り外す際にドライバーなどの工具を使用する必要があり、手間がかかる作業となってしまう問題がある。
しかも、内面パネルの表面にねじの頭部が露出するため、意匠性の低下や内面パネルの表面の清掃性の低下を招くという問題がある。
【０００５】
本発明は、前述の課題を解決し、内面パネルを工具を使用せずに簡単に取り付け、取り外しできると共に、内面パネルを固定する装置によって意匠性の低下や内面パネル表面の清掃性の低下を招くことがないレンジフードとすることである。
【課題を解決するための手段】
【０００６】
本発明は、フード本体と、このフード本体の内面を覆う内面パネルを有したフードを備えたレンジフードであって、
前記フード本体の内面に取り付けた固定金具と、前記内面パネルの裏面側に設けた金具受け部とで、内面パネルをフード本体に固定及び固定解除する固定装置とし、
前記固定金具は、内面パネルの外装部品取付用の開口からの手動操作により金具受け部とで内面パネルを支持する固定位置と、金具受け部とでの内面パネルの支持を解放する固定解除位置とに渡って移動可能としたことを特徴とするレンジフードである。
【０００７】
本発明のレンジフードにおいては、前記内面パネルの開口に外装部品を、当該内面パネルの表面側から着脱自在に取り付けできるようにし、
前記内面パネルに取り付けた外装部品は、固定金具の固定解除位置への移動を阻止するようにできる。
【０００８】
このようにすれば、レンジフード運転時の振動や地震などによって固定金具が固定解除位置に移動することを外装部品で防止するので、内面パネルが外れてフード本体から脱落することがない。
【０００９】
本発明のレンジフードにおいては、前記固定金具が固定位置以外の位置にある場合には、前記固定金具は外装部品の開口への取り付けを阻止するようにできる。
【００１０】
このようにすれば、内面パネルを固定装置でフード本体に確実に支持していなければ、その内面パネルの開口に外装部品を取り付けできないので、使用者は内面パネルが確実に支持されていないことを感知でき、内面パネルが確実に支持されていない状態でレンジフードを運転することを防止できる。しかも、外装部品を取り外したときに固定金具が固定解除位置に移動して内面パネルが急に外れることを防止できる。
【００１１】
本発明のレンジフードにおいては、前記固定金具は、内面パネルの金具受け部に係脱する係止部及び、ストッパー部を有し、
前記固定金具が固定位置のときには係止部が金具受け部に係合し、かつストッパー部が外装部品と干渉しないようにし、
前記固定金具が固定解除位置に向けて移動するとストッパー部が外装部品に接触して固定解除位置への移動を阻止し、
外装部品を開口に取り付ける際に固定金具が固定位置以外の位置である場合には、固定金具のストッパー部に外装部品が干渉するようにできる。
【００１２】
本発明のレンジフードにおいては、前記固定金具は、移動方向と直角方向で、内面パネルの開口に向かう手掛けを有しているものにできる。
【００１３】
このようにすれば、内面パネルの開口から手を入れ、手掛けを持って固定金具を固定位置と固定解除位置とに簡単に移動することができる。
【発明の効果】
【００１４】
本発明によれば、外装部品取付用の開口から手を入れて固定金具を固定位置とすれば内面パネルをフード本体に固定して取り付けでき、固定金具を固定解除位置とすれば内面パネルを取り外しできるので、内面パネルを工具を使用せずに簡単に取り付け、取り外しできる。
また、固定金具及び金具受け部を有した固定装置は内面パネルの表面には露出しないので、その固定装置によって意匠性の低下や内面パネル表面の清掃性の低下を招くことがない。
しかも、外装部品取付用の開口を利用して固定金具を移動するので、内面パネルに固定金具移動用の開口を特別に形成する必要がないと共に、開口を閉塞する部品を特別に必要としない。
【図面の簡単な説明】
【００１５】
【図１】レンジフードの正面図である。
【図２】図１のＡ−Ａ拡大断面図である。
【図３】レンジフードの斜視図である。
【図４】図２の固定装置部分の拡大図である。
【図５】図４のＢ−Ｂ拡大断面図である。
【図６】図２の固定装置部分の斜視図である。
【図７】図４でフィルターを外した状態の断面図である。
【図８】図６でフィルターを外した状態の斜視図である。
【発明を実施するための形態】
【００１６】
図１〜図３に示すように、レンジフードのフード１は、フード本体２と、このフード本体２の内面を覆う内面パネル３を有していると共に、フード本体２の内面２ａと内面パネル３の裏面３ａとで内部空間１ａを形成している。
フード１の内部空間１ａに送風機４が設けてある。なお、送風機４は従来と同様であるので、詳細な説明を省略する。
内面パネル３は外装部品取付用の開口３０を有し、この開口３０はフード１の内部空間１ａに開口しいると共に、開口３０に外装部品、例えばフィルター５が内面パネル３の表面３ｂ側から着脱自在に取り付けてある。
【００１７】
内面パネル３をフード本体２に固定、固定解除する固定装置６がフード本体１の内部空間１ａに設けてある。
この固定装置６はフード本体２の内面２ａに取り付けた固定金具６ａと内面パネル３の裏面側に設けた金具受け部６ｂを有している。
そして、フィルター５を取り外した状態で、使用者が開口３０から手を入れて固定金具６ａを固定位置と固定解除位置に移動できるようにしてある。
固定金具６ａが固定位置のときには、金具受け部６ｂとで内面パネル３をフード本体２に支持する。
固定金具６ａが固定解除位置のときには、金具受け部６ｂとでの内面パネル３の支持を解放する。
【００１８】
このように、開口３０からの手動操作で固定金具６ａを固定位置と固定解除位置とに移動することで、内面パネル３をフード本体２に支持したり、支持を解放できるから、工具を用いずに簡単に内面パネル３を取り付け、取り外しできる。
固定装置６は内面パネル３の表面３ｂに露出しないので、意匠性の低下や内面パネル３の表面３ｂの清掃性の低下を招くことがない。
【００１９】
しかも、外装部品取付用の開口３０を利用して固定金具６ａを移動するので、内面パネル３に固定金具移動用の開口を特別に形成する必要がないと共に、開口を閉塞する部品を特別に必要としない。
【００２０】
次に、各部の詳細を説明する。
なお、図１で紙面の左右方向をフード１の左右方向、図２で紙面の左右方向をフード１の前後方向とすると共に、左側を前、右側を後とし、図２で紙面の上下方向をフード１の上下方向として説明する。
フード本体２は、天板（上面板）２０と前面板２１と後面板２２と左右の側面板２３，２３とで下面が開口した箱形状で、天板２０が水平で、前面板２１の高さ（上下方向寸法）が後面板２２の高さよりも低く、後面板２２が前面板２１よりも下方に突出し、側面板２３はほぼ三角形状である。
【００２１】
内面パネル３は、基板３１と、その基板３１の左右両端に下向きに設けた側面板３２とで下向き凹部３ｃを有し、基板３１の前部３１ａが円弧状に湾曲し、基板３１の後端に引掛け部３１ｂを有した形状である。
基板３１の前部寄り左右両側に一対の外装部品取付用の開口３０がそれぞれ形成され、各開口３０にフィルター５がそれぞれ取り付けてある。
基板３１の後部寄り左右中央にオイルパック取付用の開口３３が形成され、この開口３３にオイルパック３４が着脱自在に取り付けてある。
【００２２】
そして、引掛け部３１ｂを後面板２２の下端に設けた受け部２２ａに上下回動可能で、係脱自在に引掛け、固定装置６でフード本体２に支持することで、基板３１の前端が前面板２１の下面に接するように内面パネル３がフード本体２に取り付けられ、内面パネル３の基板３１が天板２０の下面と対向し、側面板３２が側面板２３の内側面と対向することで、フード本体２の内面２ａを内面パネル３で覆う。
内面パネル３をフード本体２に取り付けた状態では、基板３１が後部が前部よりも低くなった傾斜姿勢である。
【００２３】
内面パネル３を取り外しする場合には、固定装置６による内面パネル３の支持を解除し、受け部２２ａを支点として内面パネル３を下方に回動してフード本体２から抜き出し、引掛け部３１ｂを受け部２２ａから外して内面パネル３をフード本体２から取り外しする。
【００２４】
フィルター５は図４に示すように、フィルター板５０の周縁に立上り片５１を有した形状で、フィルター５の前後方向寸法は内面パネル３の開口３０の前後方向寸法よりも若干長く、フィルター５を斜めの姿勢として開口３０内に挿入し、ばね５２でフィルター５を前方に押してフィルター５の前部を内面パネル３の開口３０前端縁寄りで支持すると共に、フィルター５の後部を内面パネル３の開口３０よりも後部寄り部分で支持してフィルター５を内面パネル３に取り付ける。
このようであるから、フィルター５を内面パネル３の表面３ｂ側から手動操作で取り付け、取り外しできる。
【００２５】
図３に示すように、内面パネル３の左右一方の開口３０の左右一方縁部分と左右他方の開口３０の左右他方縁部分とに固定装置６がそれぞれ設けてあり、この左右の固定装置６で内面パネル３の左右両側部をフード本体２に支持できるようにしてある。
【００２６】
図４と図５と図６に示すように、天板２０の下面に取り付けたブラケット６０に前後方向に向かうプレート６１が設けてある。
このプレート６１は前後方向に向かう長孔６２と前後方向に向かうガイド長孔６３を有し、ブラケット６０に設けた案内突部６４が長孔６２に前後方向に摺動自在に嵌まり合うと共に、ブラケット６０に設けたガイド片６５がガイド長孔６３を挿通してプレート６１の表面に接し、プレート６１はブラケット６０に前後方向に移動自在に取り付けてある。
【００２７】
プレート６１の下部には係合部である係合爪６６を備えている。この係合爪６６はプレート６１の下端面に設けた下方に延びる垂下片６６ａと、この垂下片６６ａの下端部に設けられた後方に延出する爪片６６ｂで前後方向の後側に向かうＬ字形状である。
プレート６１の係合爪６６よりも前後方向の前側寄りにはストッパー部となるストッパー片６７を備え、このストッパー片６７はフィルター５の立上り片５１よりも内側に位置し、フィルター板５０と対向している。
プレート６１の後端部は左右方向に向けて折曲し、その折曲片６８が内面プレート３の開口３０に向かい、プレート６１を移動するための手掛けとしてある。
このようであるから、プレート６１が係合部とストッパー部と手掛けを有した固定金具６ａとなる。
【００２８】
内面パネル３（基板３１）の開口３０における左右側の開口縁３０ａには受けプレート７０が設けてある。
この受けプレート７０は開口縁３０ａに一体的に設けた上方に向かう上向片７１と、この上向片７１の上端部に設けられ開口３０に向けて延出した横向片７２で鉤形状で、横向片７２はフィルター５の立上り片５１よりも上方に位置し、フィルター板５０と対向している。
横向片７２には係合爪６６が挿通する前後方向の長孔７３が形成され、この長孔７３が形成されていない部分が金具受け部６ｂである。例えば、横向片７２の長孔７３よりも前後方向後側部分が金具受け部６ｂである。
【００２９】
そして、プレート６１を移動して図４に示すように係合爪６６の爪片６６ｂが横向片７２の長孔７３よりも前後方向後側（金具受け部６ｂ）の下面に接して係合することで内面パネル３をフード本体２に支持する。つまり、このときのプレート６１が固定位置である。
【００３０】
係合爪６６の移動方向長さ（前後方向長さ）は横向片７２の長孔７３の長さよりも短いので、係合爪６６を図４に示す係合位置から前方に移動して係合を解除した係合解除位置まで移動して、プレート６１を固定解除位置とすることができるが、係合爪６６（爪体６６ｂ）と金具受け部６ｂとの係合代（前後方向の重なり寸法）Ｌ１が、固定位置のときのストッパー片６７とフィルター５０の前方の立上り片５１との間の前後方向寸法Ｌ２よりも長いので、フィルター５を取り付けた状態ではプレート６１を固定解除位置まで移動することができない。
つまり、フィルター５はプレート６１の固定解除位置への移動を阻止する。
【００３１】
このようであるから、レンジフード運転時の振動や地震などでプレート６１が固定解除位置まで移動し、内面パネル３が脱落することがない。
【００３２】
図７と図８に示すように、フィルター５を内面パネル３から取り外しすれば、プレート６１のストッパー片６７が前方の立上り片５１と干渉することがなく、プレート６１を係合爪６６が金具受け部６ｂと離れ、かつ長孔７３と合致した固定解除位置まで移動することができるので、内面プレート３の支持を解放し、内面プレート３を取り外しできる。
【００３３】
プレート６１のストッパー片６７は図４に示すようにフィルター５の前方の立上り片５１の上端よりも下方まで延びている。
そして、プレート６１が図４に示す固定位置のときにはストッパー片６７はフィルター５の前方の立上り片５１よりも後方寄りに位置しているから、立上り片５１がストッパー片６７と干渉することがなく、フィルター５を開口３０内に取り付けできる。
しかしながら、プレート６１が固定位置から固定解除位置に向けて移動すると、ストッパー片６７はフィルター５の立上り片５１と干渉する位置となる。
例えば、図７、図８に示すようにプレート６１が固定解除位置のときには、ストッパー６７が内面パネル３の開口３０の前部開口縁の上に位置する。
【００３４】
このために、フィルター５を取り付けようとすると図７に仮想線で示すようにフィルター５の立上り片５１がストッパー片６７と干渉し、フィルター５を取り付けできないので、使用者はプレート６１が完全に固定位置まで移動せずに、内面パネル３を確実に支持していない状態であることを感知できる。
【００３５】
したがって、使用者はプレート６１を固定位置まで完全に移動し、内面パネル３を確実に支持した後に、再びフィルター５を取り付けることになるので、内面パネル３が確実に支持されていない状態でレンジフードを運転することを防止できる。
しかも、フィルター５を取り外したときにプレート６１が固定解除位置に移動して内面パネル３が使用者の意に反して急に外れることを防止できる。つまり、プレート６１が固定位置に確実に移動していない状態でフィルター５を取り付けると、フィルター５を取り外したときにプレート６１が固定解除位置に移動して内面パネル３が急に外れて落下するおそれがある。
【００３６】
前述のように、プレート６１を移動するときに折曲片６８に手を掛けて移動することができるので、プレート６１を開口３０から手を入れて簡単に移動することができる。
【００３７】
前述の説明では、外装部品をフィルターとしたが、ランプカバー、オイルパックなどでも良い。
また、係合爪６６を横向片７３の下面に係合して内面パネル３をフード本体２に支持したが、これに限ることはない。例えば、係合片を係合受片（金具受け部）に弾性的に係合して支持したり、ピンをピン孔（金具受け部）に嵌合して支持したりすることもできる。
【符号の説明】
【００３８】
１…フード、２…フード本体、２ａ…内面、３…内面パネル、３ａ…裏面、４…送風機、５…フィルター（外装部品）、６…固定装置、６ａ…固定金具、６ｂ…金具受け部、３０…外装部品取付用の開口、６１…プレート（固定金具）、６６…係合爪（係合部）、６７…ストッパー片（ストッパー部）、６８…折曲片（手掛け）。
【図１】
2014202439.tif 000003
【図２】
2014202439.tif 000004
【図３】
2014202439.tif 000005
【図４】
2014202439.tif 000006
【図５】
2014202439.tif 000007
【図６】
2014202439.tif 000008
【図７】
2014202439.tif 000009
【図８】
2014202439.tif 000010